(57)【要約】【課題】真空断熱材を保護するだけでなく、表面板への錆びの発生をも防ぐことができる断熱パネル及び断熱パネルの製造方法を提供する。【解決手段】本発明は、表面板１の裏側に真空断熱材４が積層された断熱パネルである。表面板１は、金属板２が樹脂３により被覆されたものである。【選択図】図１
2014012956.tif 000002
【特許請求の範囲】
【請求項１】
表面板の裏側に真空断熱材が積層された断熱パネルであって、
前記表面板は、金属板が樹脂により被覆されたものである
ことを特徴とする断熱パネル。
【請求項２】
前記金属板は、
この金属板の第一端部に設けられ表側または裏側に向かって開口する凹溝部と、
前記第一端部とは反対側の端部の第二端部に設けられ隣接する他の断熱パネルの凹溝部に嵌合接続される突条部と
を備え、
この金属板が前記樹脂により被覆されたものである
ことを特徴とする請求項１記載の断熱パネル。
【請求項３】
下地材に当接する裏面部を有しており、
前記凹溝部が表側に向かって開口しており、
前記凹溝部の裏側の面が、前記裏面部よりも表側に位置している
ことを特徴とする請求項２記載の断熱パネル。
【請求項４】
前記金属板の凹溝部を芯材とする嵌合凹部を備えており、
この嵌合凹部は、前記凹溝部よりも裏側に設けられて断熱部を形成する凹所を有している
ことを特徴とする請求項３記載の断熱パネル。
【請求項５】
金属板を樹脂により被覆する被覆工程と、
前記金属板の上面に断熱材収容部を形成する収容部形成工程と、
前記被覆工程及び収容部形成工程の後、前記断熱材収容部に真空断熱材を配置し、その状態で前記断熱材収容部に樹脂発泡体を充填する断熱材充填工程と
を具備する
ことを特徴とする断熱パネルの製造方法。
【請求項６】
前記被覆工程は、
前記金属板の断面形状と略同じ形状の樹脂流出口を有する押出金型を用いて、前記金属板を前記樹脂流出口に通しながら樹脂を押し出し、これにより前記金属板を樹脂で被覆するものである
ことを特徴とする請求項５記載の断熱パネルの製造方法。
【請求項７】
前記収容部形成工程は、
前記被覆工程後、前記被覆された金属板の端縁を曲げ加工しこれにより前記断熱材収容部を形成するものである
ことを特徴とする請求項５または請求項６のいずれかに記載の断熱パネルの製造方法。
【請求項８】
前記収容部形成工程は、
前記被覆工程時に押し出し成形により前記金属板の上面に立上部を形成し、これにより前記断熱材収容部を形成するものである
ことを特徴とする請求項６記載の断熱パネルの製造方法。
【請求項９】
前記被覆工程の前に、前記金属板の第一端部に凹溝部を形成し、且つ一端部とは反対側の第二端部に、他の断熱パネルの凹溝部に嵌合接続される突条部を形成する曲げ工程を行ない、
前記被覆工程は、
前記曲げ工程後の金属板の断面形状と略同じ形状の前記樹脂流出口を有する前記押出金型を用いて、前記金属板を前記樹脂流出口に通しながら樹脂を押し出し、これにより前記金属板を樹脂で被覆するものである
ことを特徴とする請求項６または請求項８のいずれかに記載の断熱パネルの製造方法。
【発明の詳細な説明】
【技術分野】
【０００１】
本発明は、断熱パネル及び断熱パネルの製造方法に関する。
【背景技術】
【０００２】
従来、真空断熱材が用いられた断熱パネルが知られている（例えば特許文献１参照）。特許文献１記載の断熱パネルは、面材と、真空断熱体とを備えている。面材は、金属板により形成されている。真空断熱体は、面材の裏側に積層されている。
【０００３】
このように特許文献１記載の断熱パネルによれば、面材が金属板により形成されているため、面材に画鋲などが差し込まれるのを防ぐことができ、真空断熱材に孔が開くのを防ぐことができる。
【先行技術文献】
【特許文献】
【０００４】
【特許文献１】特開２００８−９５４６５号公報
【発明の概要】
【発明が解決しようとする課題】
【０００５】
しかしながら、この特許文献１記載の断熱パネルは、金属板からなる面材が露出しているため、面材に錆が生じてしまう場合があった。
【０００６】
本発明は、上記事情に鑑みてなされたものであり、その目的とするところは、真空断熱材を保護するだけでなく、表面板への錆びの発生をも防ぐことができる断熱パネル及び断熱パネルの製造方法を提供することにある。
【課題を解決するための手段】
【０００７】
本発明の断熱パネルは、表面板の裏側に真空断熱材が積層された断熱パネルであって、前記表面板は、金属板が樹脂により被覆されたものであることを特徴とする。
【０００８】
またこの断熱パネルにおいて、前記金属板は、この金属板の第一端部に設けられ表側または裏側に向かって開口する凹溝部と、前記第一端とは反対側の端部の第二端部に設けられ隣接する他の断熱パネルの凹溝部に嵌合接続される突条部とを備え、この金属板が前記樹脂により被覆されたものであることが好ましい。
【０００９】
またこの断熱パネルにおいて、下地材に当接する裏面部を有しており、前記凹溝部が表側に向かって開口しており、前記凹溝部の裏側の面が、前記裏面部よりも表側に位置していることが好ましい。
【００１０】
またこの断熱パネルにおいて、前記金属板の凹溝部を芯材とする嵌合凹部を備えており、この嵌合凹部は、前記凹溝部よりも裏側に設けられて断熱部を形成する凹所を有していることが好ましい。
【００１１】
また本発明の断熱パネルの製造方法は、金属板を樹脂により被覆する被覆工程と、前記金属板の上面に断熱材収容部を形成する収容部形成工程と、前記被覆工程及び収容部形成工程の後、前記断熱材収容部に真空断熱材を配置し、その状態で前記断熱材収容部に樹脂発泡体を充填する断熱材充填工程とを具備することを特徴とする。
【００１２】
またこの断熱パネルの製造方法は、前記被覆工程が、前記金属板の断面形状と略同じ形状の樹脂流出口を有する押出金型を用いて、前記金属板を前記樹脂流出口に通しながら樹脂を押し出し、これにより前記金属板を樹脂で被覆するものであることが好ましい。
【００１３】
またこの断熱パネルの製造方法は、前記収容部形成工程が、前記被覆工程後、前記被覆された金属板の端縁を曲げ加工しこれにより前記断熱材収容部を形成するものであることが好ましい。
【００１４】
またこの断熱パネルの製造方法は、前記収容部形成工程が、前記被覆工程時に押し出し成形により前記金属板の上面に立上部を形成し、これにより前記断熱材収容部を形成するものであることが好ましい。
【００１５】
またこの断熱パネルの製造方法は、前記被覆工程の前に、前記金属板の第一端部に凹溝部を形成し、且つ一端部とは反対側の第二端部に、他の断熱パネルの凹溝部に嵌合接続される突条部を形成する曲げ工程を行ない、前記被覆工程は、前記曲げ工程後の金属板の断面形状と略同じ形状の前記樹脂流出口を有する前記押出金型を用いて、前記金属板を前記樹脂流出口に通しながら樹脂を押し出し、これにより前記金属板を樹脂で被覆するものであることが好ましい。
【発明の効果】
【００１６】
本発明の断熱パネルによれば、表面板が金属板を樹脂により被覆したものであるため、真空断熱材を保護できるだけでなく、表面板に錆びが発生するのを防ぐことができる。
【００１７】
また本発明の断熱パネルの製造方法によれば、樹脂により被覆された金属板に真空断熱材を取り付けることができるため、真空断熱材を保護することができ、また表面板への錆びの発生を防ぐことができる
【図面の簡単な説明】
【００１８】
【図１】実施形態１の断熱パネルの一部を省略した断面図である。
【図２】実施形態２の断熱パネルの断面図である。
【図３】実施形態２の断熱パネルの一部を省略した断面図である。
【図４】実施形態２の断熱パネルの接続部分を示す要部断面図である。
【図５】実施形態２の断熱パネルの凹所に断熱材を配置した断面図である。
【図６】（ａ）〜（ｄ）は、製造方法１の製造工程を示す概略図である。
【図７】製造方法１の第２の工程を示す概略図である。
【図８】（ａ），（ｂ）は、製造方法２の製造工程を示す概略図である。
【図９】製造方法２の押出金型の樹脂流出口の断面図である。
【発明を実施するための形態】
【００１９】
以下、本発明の実施形態について添付図面に基づいて説明する。
【００２０】
実施形態１の断熱パネルは、建材用のパネルである。断熱用パネルは、例えば、内装パネルや外装パネル等の壁パネル、床パネル、天井パネル、屋根パネル等として使用される。断熱パネルは、図１に示されるように、表面板１と、真空断熱材４と、樹脂発泡体５とを備えている。真空断熱材４および樹脂発泡体５は、表面板１の裏側に積層一体化されている。
【００２１】
表面板１は、金属板２が樹脂３により被覆されることで構成されている。金属板２は、例えば鋼板である。金属板２の厚みは、例えば、約０．１５ｍｍである。なお、鋼板として、亜鉛めっき鋼板や、塗装鋼板や、錫めっき鋼板などが使用されていてもよい。金属板２は、鋼板に限らず、特に限定されない。
【００２２】
表面板１を被覆する樹脂３は、合成樹脂であり、例えば、塩化ビニルである。この樹脂３は、表面板１の表側及び裏側を被覆する。言い換えると、樹脂３は、表面板１の表裏両面に積層されている。樹脂３の厚みは、例えば、表側の樹脂層として、０．１５〜０．５ｍｍであり、裏側の樹脂層として、０．１５〜０．５ｍｍである。なお、表面板１は、金属板２の表面だけに樹脂３で被覆されたものであってもよい。
【００２３】
樹脂３は、熱可塑性樹脂であってもよいし、熱硬化性樹脂であってもよい。樹脂３として、例えば、ポリ塩化ビニル樹脂（ＰＶＣ樹脂）、アクリロニトリル-ブタジエン-スチレン共重合樹脂（ＡＢＳ樹脂）、アクリロニトリル-スチレン-アクリルゴム共重合樹脂（ＡＳＡ樹脂）、アクリロニトリル-スチレン共重合樹脂（ＡＳ樹脂）、シリコン系複合ゴム変性アクリロニトリル-スチレン共重合樹脂（ＳＡＳ樹脂）、ポリエチレン樹脂、ポリプロピレン樹脂、ポリメチルメタクリレート樹脂（ＰＭＭＡ樹脂）、メチルメタクリレート-ブチルアクリレート共重合樹脂、メチルメタクリレート-スチレン共重合樹脂（ＭＳ樹脂）等のアクリル系樹脂またはポリエステル系樹脂もしくはこれらの混合樹脂などが挙げられる。なお、金属板２を被覆する樹脂３は、特に限定されない。
【００２４】
表面板１は、本体部１１と、立上部１２と、端縁部１３とを備えている。本体部１１は、断熱パネルの表側の面を構成する。本体部１１は、長さと幅とを有しており、正面視矩形状である。例えば、断熱パネルが内装パネルとして使用されている場合、本体部１１は部屋の内装面を構成する。この場合、本体部１１が室内側に露出して化粧面を構成してもよい。また、本体部１１には壁紙が貼着されてもよい。
【００２５】
立上部１２は、本体部１１の端部から、本体部１１に直角となるよう延出している。立上部１２は、本体部１１の幅方向の両端と、長さ方向の両端とにそれぞれ設けられている。また、立上部１２は、長さ方向の全長に亙って設けられている。また立上部１２は、幅方向の略全長に亙って設けられている。言い換えると、立上部１２は、断熱パネルの全周に設けられている。なお、立上部１２は、長さ方向の両端のみに設けられたものであってもよい。また、立上部１２は、幅方向の両端のみに設けられたものであってもよい。
【００２６】
端縁部１３は、立上部１２の裏側の先端から内側に向かって延出している。端縁部１３は、本体部１１に略平行となっている。端縁部１３は、例えば、断熱パネルが下地材（図示せず）の表側に取り付けられると、下地材に当接する。
【００２７】
本体部１１と立上部１２と端縁部１３とは、平板状の金属板２を曲げ加工することで形成されている。本実施形態の表面板１は、金属板２を樹脂３により被覆した後に、被覆した金属板２を曲げ加工することで形成されている。なお、金属板２を曲げ加工して本体部１１と立上部１２と端縁部１３とを形成した後に、この曲げ加工した金属板２を樹脂３により被覆してもよい。断熱パネルの製造方法については、後述する。
【００２８】
表面板１は、断熱材収容部１４を備えている。断熱材収容部１４は、本体部１１と立上部１２と端縁部１３とに囲まれた箇所である。断熱材収容部１４には、真空断熱材４と、樹脂発泡体５とが収容される。断熱材収容部１４は、表面板１の裏側に設けられている。
【００２９】
真空断熱材４は、断熱材収容部１４内に配置されている。真空断熱材４は、本体部１１の裏面に接着により固定されている。言い換えると、真空断熱材４は、表面板１に積層されている。なお、真空断熱材４は、接着固定されていなくてもよい。
【００３０】
真空断熱材４は、所定の幅と、所定の長さとを有し、平面視矩形状をしている。言い換えると、真空断熱材４は、所定のサイズに形成される。例えば、包装材４１と、芯材（図示せず）とを備えている。芯材は、包装材４１の内部に封入されている。包装材４１は、ガスバリア性（ガス不透過性）を有している。包装材４１は、内部が真空状態に保持された状態で、外周部がシールされている。なお、芯材としては、シリカやパーライト等の無機質紛体、グラスウール等の無機繊維、連続気泡の発泡ウレタン等の連通フォーム等が用いられる。
【００３１】
樹脂発泡体５は、断熱材収容部１４に真空断熱材４が接着された状態で、この断熱材収容部１４に充填される。樹脂発泡体５として、例えば、硬質発泡ウレタンが用いられる。硬質発泡ウレタンとしては、例えば、難燃性を有する硬質イソシアヌレートフォームが用いられる。また、その他の樹脂発泡体５としては、例えば、ポリスチレンフォーム・フェノールフォーム等の樹脂発泡体５や、ペンタンからなる発泡剤により構成されたフロン不使用の樹脂発泡体５などが挙げられる。樹脂発泡体５は、特に限定されない。
【００３２】
樹脂発泡体５は、断熱材収容部１４に注入された流動性を有する発泡体材料５１が、加熱されることで、発泡し硬化する。これにより、樹脂発泡体５は真空断熱材４を外側（裏側及び側方側）から覆う。
【００３３】
以上説明したように、本実施形態の断熱パネルは、表面板１の裏側に真空断熱材４が積層されている。表面板１は、金属板２が樹脂３により被覆されている。
【００３４】
このように本実施形態の表面板１は金属板２により構成されているため、表面板１に画鋲や釘が打ち込まれるのを防ぐことができ、これにより、真空断熱材４に孔が開けられるのを防ぐことができる。そのうえ、本実施形態の表面板１は、金属板２により構成されていたとしても、金属板２が樹脂３により被覆されて露出しないため、表面板１に錆が生じるのを防ぐことができる。
【００３５】
なお、本実施形態の断熱パネルには、裏面材が設けられていないが、裏面材が設けられていてもよい。裏面材は、樹脂発泡体５の裏側に積層される。裏面材は、例えば、クラフト紙や合成樹脂シートにより構成される。
【００３６】
次に、実施形態２について図２に基づいて説明する。なお、本実施形態は実施形態１と大部分において同じであるため、同じ部分においては同符号を付して説明を省略し、主に異なる部分について説明する。
【００３７】
本実施形態の断熱パネルは、表面板１と、真空断熱材４と、樹脂発泡体５とを備えている。真空断熱材４および樹脂発泡体５は、表面板１の裏側に積層一体化されている。なお、真空断熱材４や樹脂発泡体５は、実施形態１と同じである。
【００３８】
表面板１は、金属板２が樹脂３により被覆されることで構成されている。表面板１は、本体部１１と、立上部１２と、嵌合凹部１５と、嵌合凸部１６とを備えている。
【００３９】
嵌合凹部１５は、断熱パネルの第一端部１８に設けられている。第一端部１８は、断熱パネルにおける一端に位置する。嵌合凹部１５は、他の断熱パネルの嵌合凸部１６に嵌合接続される。嵌合凹部１５は、表側に向かって開口している。すなわち、嵌合凸部１６は、嵌合凹部１５に対して、表側から裏側（前方から後方）に向かって挿入される。
【００４０】
嵌合凹部１５は、ガイド部１７を有している。ガイド部１７は、嵌合凹部１５内に嵌合凸部１６を導入する。ガイド部１７は、図３に示されるように、一対の傾斜部１７１を有している。各傾斜部１７１は、嵌合凹部１５の開口縁に設けられている。傾斜部１７１同士は、表側に向かうほど、互いに離れるよう傾斜している。
【００４１】
図４に示されるように、嵌合凹部１５の内面には、第１突起部１５１が設けられている。また、第１突起部１５１に対向する嵌合凸部１６の側面には、第２突起部１６１が設けられている。嵌合凹部１５に嵌合凸部１６が挿入されると、第２突起部１６１が第１突起部１５１を乗り越え、その後、嵌合凹部１５と嵌合凸部１６とが接続される。嵌合凹部１５と嵌合凸部１６とが嵌合接続されると、第１突起部１５１と第２突起部１６１とが係合するようになっている。
【００４２】
嵌合凸部１６は、図２に示されるように、断熱パネルの第二端部１９に設けられている。第二端部１９は、断熱パネルにおける第一端とは反対側に位置する第二端に位置する。嵌合凸部１６は、他の断熱パネルの嵌合凹部１５に嵌合接続される。嵌合凸部１６は、本体部１１の第二端部１９から裏側に向かって突出している。
【００４３】
嵌合凸部１６および嵌合凹部１５は、本体部１１の長さ方向の略全長に亙って設けられている。なお、嵌合凸部１６および嵌合凹部１５は、長さ方向ではなく幅方向の略全長に亙って設けられていてもよいし、長さ方向と幅方向のいずれにも設けられていてもよい。また、嵌合凸部１６および嵌合凹部１５は、連続していなくてもよく、断続して設けられていてもよい。
【００４４】
金属板２は、図３に示されるように、本体板部２１と、凹溝部２２と、突条部２３とを備えている。本体板部２１と凹溝部２２と突条部２３とは、平板状の金属板２に曲げ加工を施すことで一体に形成されている。
【００４５】
本体板部２１は、表面板１の本体部１１の芯材となる。本体板部２１は、平坦な面により構成されている。
【００４６】
凹溝部２２は、本体板部２１の第一端から延出している。言い換えると、凹溝部２２は、金属板２の第一端部１８に設けられている。凹溝部２２は、表側に向かって開口する。凹溝部２２は、嵌合凹部１５の芯材となる。凹溝部２２の裏側の面（底部の裏面）は、断熱パネルの裏面部６よりも表側に位置している。裏面部６は、断熱パネルの裏側の面である。裏面部６は、下地材に当接する。すなわち、凹溝部２２の裏側の面は、下地材に非当接となる。したがって、本体部１１が熱せられたとしても、その熱が下地材に伝導しにくくなる。
【００４７】
突条部２３は、本体板部２１の第二端から裏側に向かって延出している。言い換えると、突条部２３は、本体板部２１の第二端部１９に設けられている。突条部２３は、嵌合凸部１６の芯材となる。嵌合凸部１６は、嵌合凹部１５に挿入されることで、嵌合凹部１５に嵌合接続される。このとき、突条部２３は、凹溝部２２に挿入され、つまり、凹溝部２２に嵌合接続される。
【００４８】
また嵌合凹部１５は、嵌合凸部１６が挿入される箇所とは別に、凹所１５２を有している。凹所１５２は、凹溝部２２の裏面よりも裏側に設けられている。凹溝部２２は、裏面部６から表側に向かって凹没している。凹所１５２は断熱部１５３を形成する。つまり、断熱パネルの本体部１１が熱せられた場合に、金属板２の本体板部２１から凹溝部２２に向かって熱が伝導したとしても、凹溝部２２の裏側の面と下地材との間には断熱部１５３となる凹所１５２が介在するため、その熱が下地材に伝導しにくくなる。
【００４９】
この凹所１５２は、空所により構成されている。空所により構成されると、空気層が断熱部１５３として作用する。またこの凹所１５２は、図５に示すように、金属板２を被覆する樹脂３よりも熱伝導率の低い断熱材１５４が収容配置されることで、断熱部１５３を形成したものであってもよい。
【００５０】
以上説明したように本実施形態の断熱パネルは、金属板２が樹脂３により被覆された表面板１を備えている。金属板２は、凹溝部２２と、突条部２３とを備えている。凹溝部２２は、金属板２の第一端部１８に設けられている。凹溝部２２は、表側に向かって開口する。突条部２３は、第二端部１９に設けられている。第二端部１９は、第一端部１８とは反対側の端部である。突条部２３は、隣接する他の断熱パネルの凹溝部２２に嵌合接続される。
【００５１】
このように、本実施形態の断熱パネルによれば、嵌合凹部１５の厚み内に凹溝部２２が埋設されており、凹溝部２２を嵌合凹部１５の芯材とすることができるため、嵌合凹部１５の強度を向上させることができる。また、本実施形態の断熱パネルによれば、嵌合凸部１６の厚み内に突条部２３が埋設されており、突条部２３を嵌合凸部１６の芯材とすることができるため、嵌合凸部１６の強度を向上させることができる。
【００５２】
ここで、本実施形態の断熱パネルが、下地材としての壁下地板やコンクリート壁（以下、下地板と言う）に接着固定される場合がある。このとき、接着剤が硬化するまでの間、断熱パネルを、両面テープにより下地板に仮支持する必要がある。ところが、仮に、嵌合凹部１５が側方に向かって開口していると、接続しようとする他の断熱パネルを、両面テープを貼着した状態で下地板に沿って移動させる必要があるため、作業が難しくなる。
【００５３】
これに対し、本実施形態の断熱パネルは、嵌合凹部１５と嵌合凸部１６とが、表側から裏側に向かって接続されるため、仮支持のための作業が容易にできる。つまり、施工者は、接続しようとする断熱パネルを、下地板の表面上を滑らせて移動させる必要がないため、両面テープを用いた仮支持も容易にできる。
【００５４】
また本実施形態の断熱パネルは、裏面部６を有している。裏面部６は下地材に当接する。また、凹溝部２２は、表側に向かって開口している。また凹溝部２２の裏側の面は、裏面部６よりも表側に位置している。
【００５５】
このように、本実施形態の断熱パネルが下地材に取り付けられた状態では、凹溝部２２は下地材に接触していないため、金属板２を伝導した熱は凹溝部２２を介して下地材に伝導しにくくなる。これにより、本実施形態の断熱パネルによれば、ヒートブリッジ（熱橋）を防ぎ、断熱性を向上させることができる。
【００５６】
また本実施形態の断熱パネルは、嵌合凹部１５を備えている。嵌合凹部１５は、金属板２の凹溝部２２を芯材とする。また、嵌合凹部１５は、凹所１５２を有している。凹所１５２は、凹溝部２２よりも裏側に設けられている。凹所１５２は断熱部１５３を形成する。
【００５７】
このように、本実施形態の断熱パネルは、下地材に取り付けられた状態では、凹溝部２２が下地材に接触していないだけでなく、凹溝部２２の裏面と下地材との間に断熱部１５３が介在する。このため、本実施形態の断熱パネルによれば、より一層、断熱性を向上させることができる。
【００５８】
なお、実施形態１，２の断熱パネルは、嵌合凹部１５が表側に向かって開口し、嵌合凸部１６の先端が裏側に臨んでいたが、嵌合方向が前後方向であれば、嵌合凹部１５と嵌合凸部１６とは逆であってもよい。つまり、嵌合凹部１５が裏側に向かって開口し、嵌合凸部１６の先端が表側に臨んでいてもよい。
【００５９】
また、本実施形態の断熱パネルには、裏面材が設けられていないが、裏面材が設けられていてもよい。裏面材は、樹脂発泡体５の裏側に積層される。裏面材は、例えば、クラフト紙や合成樹脂３シートにより構成される。裏面部６の大部分は、この裏面材により構成される。
【００６０】
次に、実施形態１の断熱パネルの製造方法について説明する。以下、本製造方法を製造方法１として、図６，７に基づいて説明する。
【００６１】
製造方法１は、被覆工程（図６（ａ）参照）と、切断工程と、収容部形成工程（図６（ｂ）参照）と、断熱材充填工程（図６（ｃ）（ｄ）参照）とを具備している。本製造方法は、被覆工程を実施し、その後に、切断工程と収容部形成工程とを実施し、その後、断熱材充填工程を行なう。これら全工程は、搬送装置８０を用いて順に実施される。
【００６２】
なお、本製造方法は、金属板２がロール状に巻かれたフープ材７を用いて、順に工程を実施する。このため、本製造方法は切断工程を具備しているが、予め所定サイズにカットされた金属板２を用いる場合には、切断工程はなくてもよい。
【００６３】
搬送装置８０は、例えば、特に図示しないが、プーリと、プーリに掛け回される搬送ベルトと、駆動プーリを駆動するモータ等の駆動手段とを備えたベルトコンベア装置が挙げられる。また、他の搬送装置８０としては、例えば、特に図示しないが、搬送方向に並設されるローラと、ローラを駆動するモータ等の駆動手段と、を備えたローラ装置が挙げられる。このように、搬送装置８０としては、既存の搬送装置８０が適宜使用可能であり、特に限定されない。この搬送装置８０は、全工程において、ワーク（加工対象となる中間生成物）の搬送に用いられるが、一部の工程において用いられてもよい。
【００６４】
被覆工程（図６（ａ）参照）は、金属板２を樹脂３により被覆する。被覆工程には、押出金型９が用いられる。押出金型９には、フープ材７から金属板２が連続して送り込まれる。
【００６５】
押出金型９は、例えば、コンテナ（図示せず）と、ダイス（図示せず）と、加圧部材（図示せず）とを備えている。コンテナ内には、流動性を有する樹脂材料が供給される。コンテナ内には、フープ材７から送り込まれた金属板２が挿通される。ダイスには、樹脂流出口９１が貫設されている。樹脂流出口９１は、金属板２の断面形状よりもやや大きく形成される。樹脂流出口９１は、金属板２の断面形状と同じ形状を基準として、さらにこの基準から金属板２の表側と裏側に所定の厚み分（被覆する樹脂３の厚み寸法）広がった形状となっている。言い換えると、樹脂流出口９１は、金属板２の断面形状と略同じ形状となっている。樹脂流出口９１には、コンテナ内に通された金属板２が挿通される。加圧部材は、コンテナ内の樹脂３を加圧する。加圧部材により、コンテナ内の樹脂材料が、樹脂流出口９１を介して押し出される。
【００６６】
被覆工程は、金属板２を樹脂流出口９１に通しながら樹脂材料を押し出す。これにより、被覆工程は、金属板２を樹脂３で被覆する。
【００６７】
なお、被覆工程による樹脂３の被覆は、押出成形によるものでなくてもよい。例えば、被覆工程は、金属板２の表側に、薄い樹脂膜を接着するものであってもよい。また金属板２の表面に樹脂を蒸着するものであってもよい。
【００６８】
切断工程は、連続する金属板２を、所定のサイズに切断する。なお、切断工程は、被覆工程の後に行なわれてもよいし、被覆工程の前に行なわれてもよい。
【００６９】
収容部形成工程（図６（ｂ）参照）は、金属板２の裏側（上面）に断熱材収容部１４を形成する。収容部形成工程には、金属成形装置（図示せず）が用いられる。金属成形装置としては、例えば、プレスブレーキ、ロールフォーミング機など、公知の金属成形装置が用いられる。
【００７０】
収容部形成工程は、被覆工程の後に実施される。収容部成形工程は、被覆された金属板２の端縁を曲げ加工する。これにより、収容部成形工程は、本体部１１と、立上部１２と、端縁部１３とを形成する。言い換えると、収容部成形工程は、金属板２の上面に断熱材収容部１４を形成する。
【００７１】
断熱材充填工程（図６（ｃ）（ｄ）参照）は、収容部形成工程により作製されたワーク（表面板１）上に、断熱材を形成する。断熱材充填工程は、真空断熱材４を断熱材収容部１４に配置する第１の工程（図６（ｃ）参照）と、樹脂発泡体５を充填する第２の工程（図６（ｄ）参照）とを順に行なう。言い換えると、断熱材充填工程は、被覆工程及び収容部形成工程の後、断熱材収容部１４に真空断熱材４を配置し、その状態で断熱材収容部１４に樹脂発泡体５を充填する。
【００７２】
第１の工程は、真空断熱材４を表面板１の上面に配置し固定する。第１の工程は、表面板１に真空断熱材４を接着するが、他の手段により固定してもよい。第１の工程は、例えば、産業用ロボットを用いて自動化された作業であってもよいし、人手による作業であってもよい。
【００７３】
第２の工程は、第１の工程後、断熱材収容部１４に発泡体材料５１を注入する。第２の工程は、図７に示されるように、注入装置８１を用いて、発泡体材料５１を断熱材収容部１４に注入する。
【００７４】
注入装置８１は、タンクのような材料貯留部８１１と、材料貯留部８１１の内部と連通するノズル８１２と、材料押出し手段（図示せず）とを備えている。材料貯留部８１１は、材料の種類毎に複数設けられてもよく、各材料貯留部８１１は、内部の材料がノズル８１２へと送られる。ノズル８１２は、材料貯留部８１１から送られてくる材料を吐出する。ノズル８１２は、複数の材料が送られる場合、内部で材料が混合され発泡体材料５１が生成される。材料押出し手段は、ノズル８１２から材料を吐出させる。材料押出手段は、材料貯留部８１１をシリンダー状として、ピストンをモータ等の駆動手段により駆動するようにしてもよい。また、材料押出し手段として前記のような構成を特に設けず、材料が自重でノズル８１２から吐出するようにしてもよい。
【００７５】
第２の工程は、断熱材収容部１４に発泡体材料５１を注入した後、そのワークを加熱する。第２の工程によるワークの加熱は、搬送装置８０に沿って設けられた加熱装置８２により実施される。第２の工程は、加熱装置８２により、断熱材収容部１４に注入された発泡体材料５１を発泡・膨張・硬化させる。
【００７６】
なお、加熱装置８２は、例えば、加熱部８２１を有する加熱炉８２０や、ワークを上下方向から加圧しながら加熱する熱盤により構成される。加熱装置８２として加熱炉８２０が用いられる場合、加熱装置８２は、押さえベルト８３により、ワークを上下方向から押さえながら、加熱部８２１により加熱する。これにより断熱パネルが完成する。
【００７７】
以上説明したように、本製造方法は、被覆工程と、収容部形成工程と、断熱材充填工程とを具備する。被覆工程は、金属板２を樹脂３により被覆する。収容部形成工程は、金属板２の上面に断熱材収容部１４を形成する。断熱材充填工程は、被覆工程及び収容部形成工程の後に行なわれる。断熱材充填工程は、断熱材収容部１４に真空断熱材４を配置する。断熱材充填工程は、断熱材収容部１４に真空断熱材４を配置した状態で、断熱材収容部１４に樹脂発泡体５を充填する。
【００７８】
このため、本製造方法によれば、金属板２を樹脂３により被覆した表面板１に、真空断熱材４を積層した断熱パネルを製造することができる。しかも、本製造方法によれば、真空断熱材４を配置した断熱材収容部１４に樹脂発泡体５を充填することができるため、隙間なく樹脂発泡体５を設けることができる。したがって本製造方法による断熱パネルによれば、断熱性を向上させることができる。
【００７９】
また本製造方法は、押出金型９を用いる。押出金型９は、金属板２の断面形状と略同じ形状の樹脂流出口９１を有している。本製造方法は、金属板２を樹脂流出口９１に通しながら樹脂を押し出し、これにより金属板２を樹脂３で被覆する。
【００８０】
このため本製造方法によれば、簡単に作業性よく、金属板２を樹脂３により被覆することができる。
【００８１】
また本製造方法の収容部形成工程は、被覆工程後、被覆された金属板２の端縁を曲げ加工し、これにより断熱材収容部１４を形成するものである。
【００８２】
このように、本製造方法により製造された断熱パネルは、端縁が曲げ加工されたものであるため、剛性が向上するうえに、硬化前の発泡体材料５１が漏れてしまうのを防ぐことができる。
【００８３】
なお、本製造方法は、被覆工程の後に、収容部形成工程を行なうものであったが、本発明の製造方法においては、金属板２に対して収容部形成工程を行なった後に、被覆工程を行なってもよい。この場合、ワークの搬送方向の下流端と上流端には、立上部１２が設けられないが、この箇所の立上部１２に代えて枠体が配置されてもよい。枠体を設けることで、発泡体材料５１が漏れ出てしまうのを防ぐことができる。
【００８４】
次に、実施形態２の断熱パネルの製造方法について説明する。以下、本製造方法を製造方法２として図８，９に基づいて説明する。なお、製造方法２における製造方法１と同じ部分については、説明を省略する。
【００８５】
製造方法２は、曲げ工程（図８（ａ）参照）と、被覆工程（図８（ｂ）参照）と、収容部形成工程（図８（ｂ）参照）と、断熱材充填工程（図示せず）とを具備している。本製造方法は、曲げ工程を実施し、その後、被覆工程と同時に収容部形成工程を実施し、その後、断熱材充填工程を実施する。なお、切断工程は、被覆工程の前に行なわれるのが好ましい。
【００８６】
曲げ工程（図８（ａ）参照）は、被覆工程の前に行なわれる。曲げ工程は、金属板２の第一端部１８に凹溝部２２を形成する。また曲げ工程は、金属板２の第二端部１９に突条部２３を形成する。金属板２の第一端部１８は、搬送方向に直角な方向の一方側の端部に位置する。また金属板２の第二端部１９は、搬送方向に直角な方向のうち、第一端部１８とは反対側の端部に位置する。
【００８７】
曲げ工程には、金属成形装置が用いられる。金属成形装置としては、例えば、プレスブレーキ、ロールフォーミング機など、公知の金属成形装置が用いられる。
【００８８】
被覆工程（図８（ｂ）参照）は、曲げ工程の後に行なわれる。被覆工程は、押出金型９を使用する。押出金型９の樹脂流出口９１は、図９に示されるように、金属板２の断面形状と同じ形状を基準として、さらにこの基準から金属板２の表側と裏側に所定の厚み分（被覆する樹脂３の厚み寸法）広がった形状となっている。言い換えると、樹脂流出口９１は、金属板２の断面形状と略同じ形状に開口している。
【００８９】
より詳しく説明すると、樹脂流出口９１は、本体部形成部９２と、立上部形成部９３と、嵌合凹部形成部９４と、嵌合凸部形成部９５とを備えている。本体部形成部９２は、本体部１１を形成するために設けられている。立上部形成部９３は、立上部１２を形成するために設けられている。嵌合凹部形成部９４は、嵌合凹部１５を形成するために設けられている。嵌合凸部形成部９５は、嵌合凸部１６を形成するために設けられている。本体部形成部９２・嵌合凹部形成部９４・嵌合凸部形成部９５には、金属板２が挿通される。なお、立上部形成部９３には、金属板２は通されない。
【００９０】
被覆工程は、曲げ工程により曲げられた金属板２を樹脂流出口９１に通しながら樹脂３を押し出し、これにより金属板２を樹脂３で被覆する。このとき、被覆工程は、断熱材収容部１４を形成するための立上部１２を形成する。つまり本製造方法は、被覆工程と収容部形成工程とを兼用している。言い換えると、収容部形成工程は、被覆工程時に押し出し成形により金属板２の上面に立上部１２を形成し、これにより前記断熱材収容部１４を形成するものである。
【００９１】
その後、断熱材充填工程が実施される。断熱材充填工程は、製造方法１と同じであるため説明を省略する。
【００９２】
以上説明したように、本製造方法の収容部形成工程は、被覆工程時に押し出し成形により金属板２の上面に立上部１２を形成し、これにより断熱材収容部１４を形成するものである。
【００９３】
このため、本製造方法によれば、金属板２の断面形状によらず断熱材収容部１４を形成することができて、断熱パネルの設計上の自由度が大きくなる。
【００９４】
また本製造方法は、被覆工程の前に曲げ工程を行なう。曲げ工程は、金属板２の第一端部１８に凹溝部２２を形成し、且つ一端部とは反対側の第二端部１９に、他の断熱パネルの凹溝部２２に嵌合接続される突条部２３を形成する。本製造方法は、被覆工程を備えている。被覆工程は、押出金型９を用いる。押出金型９は、曲げ工程後の金属板２の断面形状と略同じ形状の樹脂流出口９１を有する。被覆工程は、金属板２を樹脂流出口９１に通しながら樹脂３を押し出し、これにより金属板２を樹脂３で被覆するものである。
【００９５】
このため、凹溝部２２や突条部２３が形成された複雑な形状の金属板２であったとしても、金属板２に樹脂３を被覆することができる。
【符号の説明】
【００９６】
１      表面板
１１    本体部
１２    立上部
１３    端縁部
１４    断熱材収容部
１５    嵌合凹部
１５２  凹所
１５３  断熱部
１６    嵌合凸部
１７    ガイド部
１７１  傾斜部
１８    第一端部
１９    第二端部
２      金属板
２１    本体板部
２２    凹溝部
２３    突条部
３      樹脂
４      真空断熱材
５      樹脂発泡体
６      裏面部
９      押出金型
９１    樹脂流出口
【図１】
2014012956.tif 000003
【図２】
2014012956.tif 000004
【図３】
2014012956.tif 000005
【図４】
2014012956.tif 000006
【図５】
2014012956.tif 000007
【図６】
2014012956.tif 000008
【図７】
2014012956.tif 000009
【図８】
2014012956.tif 000010
【図９】
2014012956.tif 000011